(57)【特許請求の範囲】
【請求項１】
建物の屋根又は建物の外壁との間に間隔を設けると共に、前記建物の屋根又は建物の外壁に沿うように張られた遮光するネットと、
前記建物の屋根又は建物の外壁に固定され、前記建物の屋根又は建物の外壁との間の間隔を保持する間隔保持部材と、
この間隔保持部材に支持され、前記ネットを支持するネット支持部材とを備え、
前記ネットは、複数に分割されたネット構成部材で構成され、
前記ネット支持部材は、複数に分割されたネット支持構成部材で構成され、
前記ネット支持構成部材で前記ネット構成部材を支持するものであり、
前記ネット支持構成部材は、第１の枠状部材と第２の枠状部材とを有し、
前記第１の枠状部材と前記第２の枠状部材とで前記ネット構成部材を挟持する
ことを特徴とする日除けネット。
【請求項２】
ネットと建物との間隔は、５ｃｍ〜３０ｃｍであり、
前記ネットの充実率は、５０％〜８０％であり、
前記ネットの素材は、中空繊維又は難燃繊維である
ことを特徴とする請求項１記載の日除けネット。
【発明の詳細な説明】
【技術分野】
【０００１】
本発明は、日除けネットに係り、特に、建物内への熱の伝導を抑制することができる日除けネットに関する。
【背景技術】
【０００２】
最近、建物内への熱の伝導を抑制する一つの方法として、屋上を緑化させる屋上緑化装置（例えば、特許文献１参照）がある。
【特許文献１】特許第３４０６３０４号公報
【発明の開示】
【発明が解決しようとする課題】
【０００３】
しかしながら、上記屋上緑化装置にあっては、緑化の管理をきめ細かく行わなければならないという問題点が生じた。
本発明は、前記した問題点を除去するようにした日除けネットを提供することを目的としている。
【課題を解決するための手段】
【０００４】
前記した目的を達成するための請求項１記載の日除けネットは、建物の屋根又は建物の外壁との間に間隔を設けると共に、前記建物の屋根又は建物の外壁に沿うように張られた遮光するネットと、前記建物の屋根又は建物の外壁に固定され、前記建物の屋根又は建物の外壁との間の間隔を保持する間隔保持部材と、この間隔保持部材に支持され、前記ネットを支持するネット支持部材とを備え、前記ネットは、複数に分割されたネット構成部材で構成され、前記ネット支持部材は、複数に分割されたネット支持構成部材で構成され、前記ネット支持構成部材で前記ネット構成部材を支持するものであり、前記ネット支持構成部材は、第１の枠状部材と第２の枠状部材とを有し、前記第１の枠状部材と前記第２の枠状部材とで前記ネット構成部材を挟持するものである。
【０００８】
また、請求項２記載の日除けネットは、請求項１記載の日除けネットにおいて、ネットと建物との間隔は、５ｃｍ〜３０ｃｍであり、前記ネットの充実率は、５０％〜８０％であり、前記ネットの素材は、中空繊維又は難燃繊維である。
【発明の効果】
【０００９】
請求項１記載の日除けネットによれば、建物の屋根又は建物の外壁との間に間隔を設けると共に、前記建物の屋根又は建物の外壁に沿うようにネットが張られているため、夏場の太陽光による光を遮り建物内への熱の伝導を抑制することができ、しかも、ネットと建物の屋根又は建物の外壁との間に設けられた間隔が、風の道となり、熱がこもることを防ぐことができる。
また、ネットを複数に分割されたネット構成部材で、ネット支持部材を複数に分割されたネット支持構成部材で、それぞれ構成するため、腰がないネットでも、ネットを緊張した状態で張ることができ、外観上良好で、しかも、ネットと建物の屋根又は建物の外壁との間隔を略均一に保持して、風の道を形成して、熱がこもることをより確実に防ぐことができ、更に、ネットに損傷が生じた場合、ネット全体を交換することなく、該損傷部位のネット構成部材の交換で対応することができる。
【発明を実施するための最良の形態】
【００１２】
本発明の一実施例の日除けネットを図面を参照して説明する。
図１乃至図４において、１は遮光するネットで、ネット１は、建物の屋根２の略全体に亘って設けられている。ネット１と建物の屋根２との間には、間隔Tが設けられ、ネット１は、建物の屋根２に沿うように張られている。
このように、ネット１が建物の屋根２との間に間隔Tを設けると共に、建物の屋根２に沿うように張られていると、夏場の太陽光による光を遮り建物C内への熱の伝導を抑制することができ、しかも、ネット１と建物の屋根２との間に設けられた間隔Tが、風の道となり、熱がこもることを防ぐことができる。
なお、ネット１の素材は、繊維の内部を空洞にし、気泡のような小さな孔を多数形成した繊維である「中空繊維」、限界酸素指数（LOI値）が、例えば、２６以上である繊維「難燃繊維」が好ましい。
【００１３】
また、ネット１と建物の屋根２との間隔Tは、０．５ｃｍ以上離れていれば、一定の効果が得られるが、充分な温度抑制効果を得るためには、２ｃｍ以上の距離をあけることが好ましく、さらに好ましくは、５ｃｍ以上の距離を開けることが好ましいが、３０ｃｍを超えると、ネット１で覆われない側面部分が生じ、該側面部分から陽射し温度上昇の要因ともなる。従って、ネットと建物との間隔は、５ｃｍ〜３０ｃｍが好ましい。
また、ネット１の充実（又は投影面積）率は、５０％〜８０％が好ましい。これは、ネット１の充実（又は投影面積）率が８０％を超えると、ネット１を介しての空気の流れが阻害され、ネット１と建物の屋根２との間が温室となって、温度が上昇する要因となるし、また、ネット１の充実（又は投影面積）率が５０％未満であると、太陽光を充分に遮断できず、温度が上昇する要因となることによる。
【００１４】
図１乃至図４に示すように、ネット１はネット支持部材３に、ネット支持部材３は間隔保持部材４に、それぞれ支持される。そして、ネット１は、複数に分割されたネット構成部材１ａ（例えば、平面視、長方形）で構成され、ネット支持部材３は、複数に分割されたネット支持構成部材３ａで構成され、ネット支持構成部材３ａでネット構成部材１ａを支持するようにしている。
このように分割して構成することにより、腰がないネット１でも、ネット１を緊張した状態で張ることができ、外観上良好で、しかも、ネット１と建物の屋根２との間隔Tを略均一に保持して、風の道を形成して、熱がこもることをより確実に防ぐことができ、更に、ネット１に損傷が生じた場合、ネット１全体を交換することなく、該損傷部位のネット構成部材１ａの交換で対応することができる。
【００１５】
また、ネット支持構成部材３ａは、図２及び図３に示すように、第１の枠状部材３ａ１と第２の枠状部材３ａ２とを有し、第１の枠状部材３ａ１と第２の枠状部材３ａ２とでネット構成部材１ａを挟持するようにしている。
また、４は、建物の屋根２に固定され、建物の屋根２との間の間隔Tを保持する間隔保持部材で、間隔保持部材４は、部材５（図４参照）により建物の屋根２に固定される。
【００１６】
なお、上述の実施例は、日除けネットを建物の屋根２に適用したが、本願発明にあってはこれに限らず、図５に示すように、建物の外壁２’にも同様に適用することができる。対象が建物の屋根２から建物の外壁２’に代わるだけで実質的に同じであるため、上記実施例（図１乃至図４）と同一部分に同一符号を付してその説明を省略する。
【００１７】
また、ネット支持部材３は、上述の図２乃至図４記載に限らず、図６乃至図８記載のものでも良い。
即ち、図６乃至図８において、３ｂ１、３ｂ２は、パイプ状の円の一部をカットした溝部を有した一方側支持部材、他方側支持部材で、一方側支持部材３ｂ１の溝部と他方側支持部材の溝部の間にネット１を挟持するようにしたものである。なお、一方側支持部材３ｂ１、他方側支持部材３ｂ２は、間隔保持部材４を介して、建物の屋根２（又は、壁面）に固定される。
【００１８】
また、上述の図６乃至図８記載のネット１にあっては、緊張した状態で張られるように、ある程度、腰のあるもので作る必要があるが、図９乃至図１１記載のネット１にあっては、ネット１に腰がなくても良い。１ａ、１ｂは、ネット１の一方側と他方側に一体的に形成された一方側被係止部と他方側被係止部で、一方側被係止部１ａは、一方側支持部材３ｂ１の一方側係止部３ｂ１’に、他方側被係止部１ｂは、他方側支持部材３ｂ２の他方側係止部３ｂ２’に、それぞれ係止するようになっている。
【図面の簡単な説明】
【００１９】
【図１】図１は、本発明の一実施例の日除けネットを建物の屋根に適用した概略的斜視図である。
【図２】図２は、図１の一部を構成しているネット支持構成部材でネット構成部材を支持する状態を示す概略的斜視図である。
【図３】図３は、図２を分解して示す概略的分解斜視図である。
【図４】図４は、図１の一部の概略的一部断面図である。
【図５】図５は、本発明の一実施例の日除けネットを建物の屋根と外壁に適用した概略的側面図である。
【図６】図６は、図２のネット支持構成部材と異なる他の実施例のネット支持構成部材を示す概略的斜視図である。
【図７】図７は、図６のネットが装着された状態を示す概略的斜視図である。
【図８】図８は、図７の８−８線による概略的断面図である。
【図９】図９は、図６のネット支持構成部材と異なる他の実施例のネット支持構成部材を示す概略的斜視図である。
【図１０】図１０は、図９のネットが装着された状態を示す概略的斜視図である。
【図１１】図１１は、図１０の１１−１１線による概略的断面図である。
【符号の説明】
【００２０】
１     ………ネット
２     ………建物の屋根
２’     ………建物の外壁
T      ………間隔
【図１】
0004750144.tif 000002
【図２】
0004750144.tif 000003
【図３】
0004750144.tif 000004
【図４】
0004750144.tif 000005
【図５】
0004750144.tif 000006
【図６】
0004750144.tif 000007
【図７】
0004750144.tif 000008
【図８】
0004750144.tif 000009
【図９】
0004750144.tif 000010
【図１０】
0004750144.tif 000011
【図１１】
0004750144.tif 000012